(57)【特許請求の範囲】
【請求項１】
撮像装置において、少なくとも画像を含むオリジナル素材を取り込む撮像ステップと、
前記オリジナル素材に含まれる画像に同期したフレーム属性情報を含む属性情報を、外部の遠隔操作装置から前記撮像装置に送信する情報送信ステップと、
前記撮像装置において、前記情報送信ステップにより受信された前記属性情報を、前記撮像ステップにおける前記オリジナル素材の取り込みと並行して、前記オリジナル素材を低解像度化した低解像度素材に付加記録する情報記録ステップと、
前記情報記録ステップにおいて付加記録された前記属性情報に基づいて前記オリジナル素材を編集することにより、番組を作成する番組制作ステップと
を含む番組制作方法。
【発明の詳細な説明】
【０００１】
【発明の属する技術分野】
本発明は、番組を制作するためのオリジナル素材を取り込む撮像装置および番組制作方法に関する。
【０００２】
【従来の技術】
一般に、テレビジョン放送などにおける番組制作は、撮影カメラにより撮影した画像などのオリジナル素材をビデオテープ（ワークテープとする。）に収録し、そのオリジナル素材を編集することによって行われる。編集作業では、ワークテープに収録した素材をＶＨＳ規格の別のテープ（編集用テープとする。）にダビング（再収録）し、その編集用テープを再生しながら必要なカットを選び出し、それらのカットを順番につなぐことにより、一つの番組とする。
【０００３】
ここで、一般に、オリジナル素材を編集する上では、撮影日時、撮影場所あるいは編集者のコメントといった属性情報が必要である。このような属性情報は、オリジナル素材の編集時には、いつでも参照できることが好ましい。従来は、このような属性情報は、ノートなどにメモされており、編集作業において編集テープなどに書き込まれるようになっていた。
【０００４】
【発明が解決しようとする課題】
しかしながら、このような方法では、ノートの記載などに頼っていたため、必要なときに属性情報を正確に記録することができず、また、必要なときに属性情報を参照することもできないという問題があった。そのため、番組制作の高効率化の観点から、属性情報などを、正確且つ迅速に記録または参照できるようにすることが強く望まれていた。
【０００５】
本発明は、上述した課題に鑑みてなされたものであり、その目的は、オリジナル素材の属性情報などを、正確且つ迅速に記録または参照できる撮像装置および番組制作方法を提供することにある。
【０００８】
【課題を解決する手段】
本発明による番組制作方法は、撮像装置において、少なくとも画像を含むオリジナル素材を取り込む撮像ステップと、オリジナル素材に含まれる画像に同期したフレーム属性情報を含む属性情報を、外部の遠隔操作装置から撮像装置に送信する情報送信ステップと、撮像装置において、情報送信ステップにより受信された属性情報を、撮像ステップにおけるオリジナル素材の取り込みと並行して、オリジナル素材を低解像度化した低解像度素材に付加記録する情報記録ステップと、情報記録ステップにおいて付加記録された属性情報に基づいてオリジナル素材を編集することにより、番組を作成する番組制作ステップとを含むことを特徴とするものである。
【００１２】
本発明による番組制作方法では、外部の遠隔操作装置から送信された、オリジナル素材についての属性情報が記録され、その属性情報に基づいてオリジナル素材が編集され、番組が制作される。ここで、属性情報には、フレーム属性情報が含まれる。また、属性情報の記録は、撮像装置によるオリジナル画像の取り込みと並行して行われる。
【００１４】
【発明の実施の形態】
以下、本発明の実施の形態について図面を参照して詳細に説明する。
【００１５】
［番組制作システム１の構成］
図１は、本発明の第１の実施の形態に係る撮像装置および番組制作方法が適用される番組制作システム１の基本構成を表すものである。この番組制作システム１は、放送局２（または番組制作会社）を中心として、テレビジョン放送における番組制作を行うものである。
【００１６】
番組制作システム１は、まず、収録現場において画像および音声を取り込む取込装置１１と、取込装置１１が取り込んだ画像および音声を収録する記録・変換装置１２とを備えている。ここで、取込装置１１は、本発明における「撮像手段」の一具体例に対応し、記録・変換装置１２は、本発明における「情報記録手段」および「情報出力手段」の一具体例に対応するものである。
【００１７】
図２は、取込装置１１の構成例を表すブロック図である。取込装置１１は、ＣＣＤ（Charge Coupling Device）などの撮像素子を備えた撮像部１１１と、マイクロフォンなどを備えた録音部１１２と、これらの制御を司る制御部１１３とを備えている。取込装置１１の撮像部１１１および録音部１１２により取り込まれた画像および音声は、番組を制作するための素材となるものであり、オリジナル素材Ｍと呼ばれる。取込装置１１の制御部１１３は、取得したオリジナル素材Ｍを、後述する記録・変換装置１２に送信するようになっている。
【００１８】
取込装置１１には、さらに、取込装置１１の操作者（カメラマン）によって操作されるＲＥＣ（Recording）ボタン１１４，ＧＳ（Good Shot）ボタン１１５，Ｔｅｌｅ（Telephoto）ボタン１１６およびＷｉｄｅ（ワイド）ボタン１１７が設けられている。ＲＥＣボタン１１４は、カメラマンが画像および音声の取り込みを開始する際に操作するものである。ＲＥＣボタン１１４が押されると、制御部１１３は、撮像部１１１および録音部１１２による画像および音声の取り込みを開始するようになっている。ＧＳボタン１１５は、カメラマンが、撮影中のカットを「良好」と判断した場合に操作するものである。Ｔｅｌｅボタン１１６およびＷｉｄｅボタン１１７は、取込装置１１の撮像レンズ（図示せず）の焦点位置を可変するためのものであり、より遠方に焦点位置を合わせるときにはＴｅｌｅボタン１１６を操作し、より近傍に焦点位置を合わせるときにはＷｉｄｅボタン１１７を操作する。その他の操作ボタンについては、図示および説明を省略する。制御部１１３は、ＲＥＣボタン１１４，ＧＳボタン１１５，Ｔｅｌｅボタン１１６およびＷｉｄｅボタン１１７のいずれかが操作されると、そのボタンが操作されたことを表す操作信号Ｂ（ＢREC，ＢGS，ＢTele，ＢWide）を記録・変換装置１２に送信するようになっている。
【００１９】
図３は、記録・変換装置１２の構成例を表すブロック図である。記録・変換装置１２は、取込装置１１から出力されたオリジナル素材Ｍをビデオテープ１３に収録するＶＴＲ（ビデオテープレコーダ）部１２１を有している。なお、オリジナル素材Ｍを記録するのに十分な容量を有するものであれば、ビデオテープ１３以外の媒体を用いても良い。
【００２０】
記録・変換装置１２は、さらに、取込装置１１から出力されたオリジナル素材Ｍを低解像度化するエンコーダ１２２を有している。このエンコーダ１２２により低解像度化された素材を、低解像度素材Ｌと呼ぶ。具体的には、低解像度素材Ｌの解像度が、オリジナル素材Ｍの解像度に比べ、約１０分の１になっていることが好ましい。
【００２１】
記録・変換装置１２は、さらに、エンコーダ１２２により生成された低解像度素材Ｌを外部に送信する送信部１２３と、外部からの情報を受信する受信部１２４と、この受信部１２４により受信した情報に基づいて低解像度素材Ｌに情報を書き込む制御を行う制御部１２５とを有している。これら送信部１２３および受信部１２４は、本発明における「送信手段」および「受信手段」の一具体例にそれぞれ対応する。
【００２２】
送信部１２３は、無線通信あるいは携帯電話回線を通じて、後述する遠隔操作装置１５に低解像度素材Ｌを送信するようになっている。これにより、遠隔操作装置１５を操作する編集者（番組のディレクタなど）は、遠隔から、低解像度素材Ｌを参照し加工することが可能になる。また、遠隔操作装置１５から送信された編集信号Ｅは、無線通信あるいは携帯電話回線を通じて、受信部１２４により受信される。
【００２３】
制御部１２５は、例えばコンピュータからなり、受信部１２４から編集信号Ｅが入力され、かつ、取込装置１１から（ＲＥＣボタン１１４などが操作されたことを表す）操作信号Ｂが入力されるようになっている。この制御部１２５は、これら編集信号Ｅおよび操作信号Ｂに基づいてエンコーダ１２２を制御し、低解像度素材Ｌに、メタデータと呼ばれる情報を書き込まむようになっている。
【００２４】
図４および図５は、オリジナル素材Ｍおよび低解像度素材Ｌの構成例をそれぞれ模式的に表すものである。図４に示したように、オリジナル素材Ｍは、連続したフレーム（コマ）Ｍ１，Ｍ２，Ｍ３．．．と、各フレームＭ１，Ｍ２．．．の位置情報を表すタイムコードＴ１，Ｔ２．．．とを有している。なお、各フレームＭ１，Ｍ２．．．には、画像および音声が含まれている。また、オリジナル素材Ｍの先頭には、そのオリジナル素材Ｍを表す識別番号ＩＤが設けられている。
【００２５】
一方、図５に示したように、低解像度素材Ｌは、オリジナル素材Ｍの各フレームＭ１，Ｍ２．．．をそれぞれ低解像度化したフレームＬ１，Ｌ２．．．と、各フレームＬ１，Ｌ２．．．の位置情報を表すタイムコードＴ１，Ｔ２．．．とを有している。さらに、低解像度素材Ｌの先頭には、オリジナル素材Ｍとの対応関係を表す識別番号ＩＤが設けられている。
【００２６】
図６は、メタデータの例を表すものである。メタデータには、取込装置１１のＲＥＣボタン１１４，ＧＳボタン１１５，Ｔｅｌｅボタン１１６およびＷｉｄｅボタン１１７などが操作されたことをそれぞれ表すＲＥＣマーク，ＧＳマーク，ＴｅｌｅマークおよびＷｉｄｅマークがある。さらに、メタデータには、後述する遠隔操作装置１５により選択されたカットを表すＯＫテークマーク（ＩＮマークおよびＯＵＴマーク）がある。これらは、オリジナル素材Ｍに含まれる画像（各フレーム）に同期したデータであり、本発明における「フレーム属性情報」の一具体例に対応する。フレーム属性情報は、低解像度素材Ｌにおける対応するフレームに書き込まれる。
【００２７】
また、メタデータには、撮影日時、撮影者の氏名、撮影場所、編集者名、番組名、発注元およびコメントなど、オリジナル素材Ｍの全体に対応付けられたデータも含まれており、これらは、本発明における「素材属性情報」の一具体例に対応する。素材属性情報は、低解像度素材Ｌの先頭などに書き込まれる。
【００２８】
図６に示したこれらのメタデータは、本発明における「属性情報」の一具体例に対応し、メタデータと低解像度素材Ｌとを合わせたものが、本発明における「付属情報」の一具体例に対応する。なお、メタデータのうち、ＲＥＣマーク，ＧＳマーク，ＴｅｌｅマークおよびＷｉｄｅマークは、取込装置１１の動作に連動して作成されるデータである。一方、ＯＫテークマーク、撮影日時、撮影者名などは、遠隔操作装置１５から送信されるデータである。
【００２９】
図１に示したように、番組制作システム１は、さらに、低解像度素材Ｌを記録するための記憶装置１４と、記録・変換装置１２および記憶装置１４を遠隔から操作するための遠隔操作装置１５とを備えている。
【００３０】
図７は、記憶装置１４の構成例を表すブロック図である。記憶装置１４は、記録・変換装置１２から出力された低解像度素材Ｌを保存するための記録媒体１４１を有している。低解像度素材Ｌのデータ容量は比較的小さいため、記録媒体１４１としては、例えば、ＰＣ（Personal Computer）カード、メモリカードあるいはフロッピーディスクなどを用いることができる。
【００３１】
記憶装置１４は、さらに、記録媒体１４１に記憶された低解像度素材Ｌを外部に送信する送信部１４２と、外部からの情報を受信する受信部１４３と、この受信部１４３により受信した情報に基づいて記録媒体１４１に記憶された低解像度素材Ｌに情報を書き込む制御を行う制御部１４５とを備えている。
【００３２】
送信部１４２は、無線通信あるいは携帯電話回線を通じて、遠隔操作装置１５に低解像度素材Ｌを送信するようになっている、また、受信部１４３は、無線通信あるいは携帯電話回線を通じて、遠隔操作装置１５から送信された編集信号Ｅを受信するようになっている。制御部１４５は、例えばコンピュータよりなり、受信部１４３により受信した編集信号Ｅに基づいて、記憶媒体１４１に記憶された低解像度素材Ｌに、上述したメタデータを書き込むようになっている。
【００３３】
記憶装置１４は、さらに、無線通信あるいは携帯電話回線を通じて、放送局２にも低解像度素材Ｌを送信するようになっている。後述するように、放送局２では、記憶装置１４から送信された低解像度素材Ｌをサーバ２４に保存する。放送局２内では、必要に応じて、後述する制御装置２２などにより低解像度素材Ｌにメタデータを書き込んでもよい。
【００３４】
なお、これら取込装置１１，記録・変換装置１２および記憶装置１４は、本発明における「撮像装置」の一具体例に対応するものである。これら取込装置１１，記録・変換装置１２および記憶装置１４は、一体となって撮影カメラ１０を構成していることが好ましい。また、記録・変換装置１２および記憶装置１４の機能を持たせたユニットを設け、このユニットを市販の撮影カメラに取り付けるようにしてもよい。
【００３５】
図８は、遠隔操作装置１５の構成例を表すブロック図である。遠隔操作装置１５は、放送局２の外部にいる編集者によって主に操作されるものである。編集者は、収録現場のカメラマンの傍で遠隔操作装置１５を操作してもよいし、収録現場から離れた場所（例えば中継車の中）で遠隔操作装置１５を操作してもよい。
【００３６】
遠隔操作装置１５は、操作ボタンを備えた操作部１５１と、液晶ディスプレイなどを備えた表示部１５２と、外部との通信を行うための通信部１５３と、これらの制御を司る制御部１５５とを備えている。通信部１５３は、無線通信または携帯電話回線を通じて、記録・変換装置１２または記憶装置１４から低解像度素材Ｌを受信できるようになっている。制御部１５５は、記録・変換装置１２または記憶装置１４から受信した低解像度素材Ｌを、表示部１５２に表示するようになっている。これにより、編集者は、表示部１５２に表示された低解像度素材Ｌを見ながら操作部１５１を操作できるようになる。
【００３７】
図９は、図８に示した遠隔操作装置１５の操作部１５１の具体的な外形形状の一例を表すものである。操作部１５１は、ＩＮボタン１５１ＡおよびＯＵＴボタン１５１Ｂを有している。このＩＮボタン１５１ＡおよびＯＵＴボタン１５１Ｂは、低解像度素材Ｌのうち、編集者が選択しようとするカットの始まりおよび終わりをそれぞれ特定するためのものである。編集者がＩＮボタン１５１ＡおよびＯＵＴボタン１５１Ｂによりカットを特定すると、制御部１５５は、記録・変換装置１２または記憶装置１４に編集信号Ｅを送信し、記録・変換装置１２または記憶装置１４において、低解像度素材Ｌに上述したＩＮマークおよびＯＵＴマークがそれぞれ施される。
【００３８】
図１０および図１１は、遠隔操作装置１５の表示部１５２における表示例を表すものある。図１０に示したように、表示部１５２には、低解像度素材Ｌにおいて、ＲＥＣマークに対応するフレームの画像と、そのタイムコードとが対応付けられて一括表示されるようになっている。これにより、取込装置１１による画像・音声の取り込みが開始されたときの画像を一目で把握することができる。また、図１１に示したように、表示部１５２には、ＩＮマークに対応するフレームの画像と、ＯＵＴマークに対応するフレームの画像と、それらに対応するタイムコードとが対応付けられて一括表示される。これにより、編集者によって選択された（あるいは選択中の）カットを一目で把握することができる。遠隔操作装置１５は、同様に、ＧＳマークに対応するフレームの画像と、そのタイムコードとを一括して表示することもできるようになっている。
【００３９】
ここで、遠隔操作装置１５からの編集信号Ｅ（または取込装置１１からの操作信号Ｂ）に基づき、記録・変換装置１２において低解像度素材Ｌにメタデータを書き込むことを、「リアルタイム加工」という。一方、遠隔操作装置１５からの編集信号Ｅに基づいて、記憶装置１４において低解像度素材Ｌにメタデータを書き込むことを、「記憶後加工」という。
【００４０】
なお、図１に示したように、放送局２内には、遠隔操作装置１５と同様の操作を行うための操作装置２５が設けられている。操作装置２５は、遠隔操作装置１５と同等の機能を有しており、放送局２内に設けられた通信装置２１と遠隔操作装置１５を経由し、無線通信または携帯電話回線を通じて、記録・変換装置１２または記憶装置１４に情報を送信できるようになっている。
【００４１】
次に、放送局２内の設備について説明する。図１に示したように、放送局２には、無線通信または携帯電話回線を通じて記憶装置１４および遠隔操作装置１５との通信を行う通信装置２１と、ビデオテープ１３に収録されたオリジナル素材の編集を行うための編集装置２３と、編集装置２３を制御する制御装置２２と、編集装置２３の出力を蓄積するサーバ２４とを備えている。通信装置２１は、記憶装置１４から送信された低解像度素材Ｌを受信し、制御部２２などに出力するようになっている。制御部２２は、例えばコンピュータからなっており、通信装置２１から送られた低解像度素材Ｌに基づいて、編集装置２３を制御するようになっている。
【００４２】
編集装置２３は、収録現場から放送局２まで運ばれてきたビデオテープ１３を、制御装置２２からの指示に従って再生するものである。この編集装置２３としては、一般のＶＴＲ装置などを用いることができる。制御装置２２は、記憶装置１４から送信された低解像度素材Ｌに書き込まれたＩＮマークおよびＯＵＴマークを検出したのち、タイムコードを基準として、オリジナル素材Ｍにおいて、ＩＮマークおよびＯＵＴマークにより選択されたカットに対応する部分を再生し、サーバ２４に出力するようになっている。これにより、オリジナル素材Ｍのうち、編集者が遠隔操作装置１５を用いて選択したカットに対応する部分だけが、サーバ２４に出力される。
【００４３】
サーバ２４は、例えば磁気ディスク装置や光ディスク装置などであり、オリジナル素材Ｍのうち編集装置２３から出力された部分を蓄積するようになっている。例えば１００本のビデオテープ１３について、編集装置２３による再生作業が完了すると、サーバ２４には、例えば６０分の番組に相当するオリジナル素材Ｍが蓄積され、一つの番組として合成される。
【００４４】
なお、このサーバ２４には、オリジナル素材Ｍの他に、通信装置２１から送られた低解像度素材Ｌも蓄積されており、必要なときに低解像度素材Ｌを取り出すことができるようになっている。
【００４５】
なお、制御装置２２は、必要に応じて、低解像度素材Ｌの編集（あるいは再編集）を行うこともできるようになっている。この場合、制御装置２２の表示部において、図１０および図１１に示したように、画像・音声の取り込みを開始したときの画像や、編集者が選択したカットなどが表示されることが好ましい。
【００４６】
放送局２には、さらに、サーバ２４において合成された番組を、テレビジョン放送として送出するための送出装置２６が設けられている。この送出装置２６は、一般の送出装置と同様の構成を有しているので、説明は省略する。
【００４７】
放送局２には、さらに、サーバ２４に蓄積された低解像度素材Ｌを用いて番組のシミュレーションを行うシミュレーション装置２７が設けられている。シミュレーション装置２７は、サーバ２４に記憶された低解像度素材Ｌのうち、ＩＮマークおよびＯＵＴマークにより選択されたカットのみによりシミュレーション用番組を作成し、図示しない表示部に表示するようになっている。ここで作成されたシミュレーション用番組は、低解像度素材Ｌを用いているため、オリジナル素材Ｍからなる番組に比べて画質や温質は低下するが、放送前に編集ミスを発見する上では有用である。
【００４８】
放送局２には、さらに、シミュレーション装置２７により作成されたシミュレーション用番組を、インターネットを介して配信する配信装置２８が設けられている。インターネットでは、テレビジョン送信に比べて伝送容量が小さく、テレビジョン放送ほど高画質や高音質が要求されていないため、インターネット配信には、低解像度素材Ｌよりなる番組が適しているためである。
【００４９】
［番組制作システム１の作用］
次に、本実施の形態における番組制作システム１の作用について、図１２の流れ図を参照して説明する。なお、図１２は、あくまでも各手順の相互の関係を表すものであって、時間的な前後を表すものではない。ここでは、カメラマンが、撮影カメラ１０（取込装置１１、記録・変換装置１２および記憶装置１４を含む）を持って収録現場に向かい、編集者は、例えば中継車内において、遠隔操作装置１５の表示部１５２を見ているものとする。
【００５０】
カメラマンが撮影カメラ１０を用いて撮影を開始すると、取込装置１１の撮像部１１１および録音部１１２が画像および音声の取り込みを開始する（Ｓ１０）。取込装置１１の制御部１１３は、撮像部１１１および録音部１１２によって取り込んだ画像および音声を含むオリジナル素材Ｍを、記録・変換装置１２に出力する。
【００５１】
記録・変換装置１２では、取込装置１１から出力されたオリジナル素材Ｍを、ＶＴＲ部１２１においてビデオテープ１３に収録する（Ｓ１２）。
【００５２】
記録・変換装置１２では、さらに、エンコーダ１２２が、オリジナル素材Ｍに基づいて低解像度素材Ｌを生成する（Ｓ１４）。エンコーダ１２２によって生成された低解像度素材Ｌは、記憶装置１４に出力される。さらに、この低解像度素材Ｌは、送信部１２３から、無線通信または携帯電話回線を通じて、遠隔操作装置１５にも送信される。
【００５３】
記録・変換装置１２の制御部１２５は、必要に応じて、取込装置１１からの操作信号Ｂおよび遠隔操作装置１５からの編集信号Ｅに基づいて低解像度素材Ｌにメタデータを書き込むリアルタイム加工を行う（Ｓ１６）。
【００５４】
例えば、画像および音声の取り込みを開始するためにカメラマンがＲＥＣボタン１１４を押すと、取込装置１１の制御部１１３は、ＲＥＣボタン１１４が押されたことを表す操作信号ＢRECを記録・変換装置１２に送信する。記録・変換装置１２では、取込装置１１から操作信号ＢRECを入力されると、その時点で低解像度化処理中のフレーム（例えばフレームＬ１）にＲＥＣマークを書き込む。また、例えば、カメラマンがＧＳボタン１１５を押すと、取込装置１１の制御部１１３は、ＧＳボタン１１５が操作されたことを表す操作信号ＢGSを記録・変換装置１２に送信する。記録・変換装置１２では、取込装置１１から操作信号ＢGSが入力されると、その時点で低解像度処理中のフレーム（例えばフレームＬ３）にＧＳマークを書き込む。
【００５５】
また、編集者が、遠隔操作装置１５のＩＮボタン１５１ＡおよびＯＵＴボタン１５１Ｂを操作してカットを選択すると、遠隔操作装置１５の制御部１５５は、記録・変換装置１２に向けて編集信号Ｅを送信する。この場合、編集信号Ｅには、ＩＮボタン１５１Ａが押されたことを表す信号と、ＩＮボタン１５１Ａが押されたときのタイムコードと、ＯＵＴボタン１５１Ｂが押されたことを表す信号と、ＯＵＴボタン１５１Ｂが押されたときのタイムコードとが含まれている。記録・変換装置１２では、受信部１２４により編集信号Ｅを受信すると共に、制御部１２５が低解像度素材ＬにＩＮマークとＯＵＴマークとを付加する制御を行う。例えば、図５の例では、低解像度素材ＬのフレームＬ２にＩＮマークが付加され、フレームＬ１０にＯＵＴマークが付加される。これにより、編集者が、低解像度素材ＬのフレームＬ２からＬ１０までのカットを選択したこととなる。
【００５６】
なお、編集者が放送局２の中にいる場合には、操作装置２５を用いて、遠隔操作装置１５と同様のリアルタイム加工を行うことができる。この場合、記録・変換装置１２と操作装置２５との通信は、放送局２の通信装置２１および遠隔操作装置１５を介して行われる。
【００５７】
記憶装置１４では、記録・変換装置１２から入力された低解像度素材Ｌを記録媒体１４１に記録する（Ｓ１８）。さらに、記憶装置１４は、送信部１４２を介して、記録媒体１４１に記憶された低解像度素材Ｌを、遠隔制御装置１５および放送局２に送信する。なお、これらステップＳ１０からＳ１６までの処理は、ほぼ同時に行われることが好ましい。
【００５８】
記憶装置１４の制御部１４５は、必要に応じて、遠隔操作装置１５からの編集信号Ｅに基づいて低解像度素材Ｌにメタデータを書き込む記憶後加工を行う（Ｓ２０）。
【００５９】
すなわち、遠隔操作装置１５では、記憶装置１４から送信された低解像度素材Ｌを通信部１５３で受信し、表示部１５２に表示する。編集者は、遠隔操作装置１５の表示部１５２を見ながらＩＮボタン１５１ＡおよびＯＵＴボタン１５１Ｂを操作して、必要なカットを選択する。遠隔操作装置１５の制御部１５５は、記憶装置１４に向けて、上述したように編集信号Ｅを送信する。これにより、記録・変換装置１２では、受信部１２４により編集信号Ｅを受信すると共に、制御部１２５が低解像度素材ＬにＩＮマークとＯＵＴマークとを付加する制御を行う。
【００６０】
なお、編集者が放送局２の中にいる場合には、操作装置２５を用いて、遠隔操作装置１５と同様の記憶後加工を行うことができる。
【００６１】
オリジナル素材Ｍを収録したビデオテープ１３は、自動車やヘリコプターにより放送局２まで搬送される。一方、低解像度素材Ｌは、記憶装置１４から無線通信や携帯電話回線を通じて、放送局２の通信装置２１に受信されており、その加工も完了している。そのため、ビデオテープ１３が放送局２に到着すると、直ちに、オリジナル素材の編集が開始される（Ｓ２２）。
【００６２】
オリジナル素材の編集を行う際には、まず、ビデオテープ１３が、編集装置２３に装填される。制御装置２２は、ビデオテープ１３の識別番号と、低解像度素材Ｌの識別番号とを対照したのち、その低解像度素材Ｌに従って、編集装置２３を制御する。すなわち、タイムコードを参照して、オリジナル素材Ｍの中の、低解像度素材ＬのＩＮマークおよびＯＵＴマークに対応する部分を再生し、サーバ２４に出力する。なお、このような方法の代わりに、オリジナル素材Ｍをビデオテープ１３からディスク状の記録媒体にダビングしてから編集を行う「ノンリニア編集」を行ってもよい。
【００６３】
１時間の番組を作成するには、一般に約２００本のビデオテープ１３が用いられるが、編集装置２３で再生されるのは、約２００本のビデオテープ１３に収録されたオリジナル素材Ｍのうち、編集者が選択した部分（すなわち、低解像度素材ＬのＩＮマークとＯＵＴマークとの間の部分に対応する部分）のみである。
【００６４】
編集装置２３において、制御装置２２の指示に基づくオリジナル素材Ｍの再生作業を完了すると、サーバ２４には、１時間分の番組を構成する編集済みのオリジナル素材Ｍが蓄積される。これにより、番組の制作が完了する。
【００６５】
ここで、完成された番組をテレビジョン放送として放送する前に、予め、低解像度素材Ｌを用いたシミュレーションが行われる（Ｓ２６）。すなわち、放送局２に設けられたシミュレーション装置２７は、サーバ２４に記録された低解像度素材Ｌにおいて、ＩＮマークとＯＵＴマークにより選択されたカットのみからなるシミュレーション用の番組（低解像度の番組）を制作する。このシミュレーション装置２７により制作されたシミュレーション用の番組を利用することにより、編集上のミスの有無などを放送前にチェックすることが可能になる。
【００６６】
そののち、送出装置２６が、サーバ２４に記録された番組をテレビジョン放送として放送する（Ｓ２８）。シミュレーション番組を利用した編集ミスのチェックが事前に行われているため、実際に放送される番組の質の向上が図られる。
【００６７】
番組をテレビジョン放送として放送したのち、配信装置２８が、インターネットなどの電気通信回線を通じて、低解像度素材Ｌよりなる番組を配信する。これは、インターネットの伝送容量がテレビジョン通信網よりも制限されているためである。既に存在するシミュレーション用番組をそのまま利用できるため、配信用の番組を改めて制作する必要がない。従って、テレビジョン放送のあとすぐに、あるいは、テレビジョン放送よりも前に、インターネットなどを通じて迅速に番組を配信することができる。
【００６８】
［実施の形態の効果］
以上説明したように、本実施の形態によれば、記録・変換装置１２において、遠隔操作装置１５から送信されたメタデータ、および、取込装置１１の動作に連動して作成されたメタデータを記録する（低解像度素材Ｌに書き込む）ようにしたので、編集者などが、必要なときに必要なメタデータを記録することが可能になる。これにより、様々なメタデータを正確に記録することができ、編集に利用できるようになり、従って、番組制作の高効率化が図られる。
【００６９】
また、記録・変換装置１２が付属情報（低解像度素材Ｌおよびメタデータ）を送信するようにしたので、編集者などが必要なときに必要な付属情報を参照することが可能になる。これにより、番組制作の高効率化が図られる。
【００７０】
さらに、記録・変換装置１２から通信網（無線通信回線や携帯電話回線）を通じて付属情報を送信するようにしたので、遠隔地にいても、例えば遠隔操作装置１５を介して、付属情報を参照できる。加えて、記録・変換装置１２に、通信回線網を通じてメタデータを記録できるようにしたので、離れた場所から、遠隔操作装置１５を介してメタデータの記録を行うことができる。
【００７１】
さらに、メタデータが、素材属性情報（撮影日時、撮影者名など）と、フレーム属性情報（ＧＳマーク、ＯＫテークマークなど）を含むようにしたので、多面的な情報の利用により番組制作の効率を向上できる。
【００７２】
加えて、低解像度素材Ｌを利用してオリジナル素材Ｍの編集を行うようにしたので、オリジナル素材Ｍを収録したビデオテープをさらに編集用テープにダビング（再収録）して編集を行う従来の方法と比較して、膨大なダビング作業が省略され、従って編集作業を大幅に短縮することができる。これにより、より迅速な編集が可能になる。
【００７３】
さらに、低解像度素材はデータ量が少ないため、無線通信や形態電話回線などを経由した送信が可能であり、収録現場から放送局まで容易に送信される。これにより、オリジナル素材Ｍを収録したビデオテープが放送局に運ばれる前に、低解像度素材Ｌを用いた編集が行われ、より迅速な編集が可能になる。
【００７４】
以上、上記実施の形態を挙げて本発明を説明したが、本発明は、上記実施の形態に限定されず、種々の変形実施が可能である。例えば、上記の実施の形態では、記録・変換装置１２，記憶装置１４および遠隔操作装置１５は、無線通信または携帯電話回線を通じて通信を行うようになっているが、例えばインターネットなどの電気通信回線を用いて通信を行うようにしてもよい。
【００７５】
また、オリジナル素材に含まれる画像データは、撮像部１１によって取り込まれた画像に限られず、例えばコンピュータグラフィックによって形成された画像でもよい。同様に、オリジナル素材に含まれる音声データは、録音部１２によって取り込まれた音声に限られず、例えばコンピュータによって生成された音声であってもよい。
【００７６】
【発明の効果】
以上説明したように、本発明の番組制作方法によれば、外部から送信されたフレーム属性情報を含む属性情報を記録するようにしたので、必要なときに、必要な属性情報を正確に記録することが可能になる。これにより、様々な属性情報を、有効に編集に利用することが可能になり、番組制作の高効率化が図られる。
【００７７】
特に、通信網を通じて属性情報を受信する受信手段を設けるようにしたので、離れた場所から属性情報を記録することも可能になる。
【００７８】
さらに、撮像手段によるオリジナル素材の取り込みと並行して属性情報の記録が行われるようにしたので、属性情報をリアルタイムで記録することが可能になる。
【図面の簡単な説明】
【図１】本発明の一実施の形態に係る番組制作システムの基本構成を表すブロック図である。
【図２】図１に示した番組制作システムにおける撮像装置の構成例を表すブロック図である。
【図３】図１に示した番組制作システムにおける記録・変換装置の構成例を表すブロック図である。
【図４】図１に示した番組制作システムにおけるオリジナル素材の構成を制御装置の表す図である。
【図５】図１に示した番組制作システムにおける低解像度素材の構成を表す図である。
【図６】図１に示した番組制作システムにおけるメタデータの例を表す図である。
【図７】図１に示した番組制作システムにおける記憶装置の構成例を表すブロック図である。
【図８】図１に示した番組制作システムにおける遠隔操作装置の構成例を表すブロック図である。
【図９】図８に示した遠隔操作装置における操作部の構成例を表す正面図である。
【図１０】図１に示した番組制作システムの制御装置の表示部における表示例を表す図である。
【図１１】図１に示した番組制作システムの制御装置の表示部における表示例を表す図である。
【図１２】図１に示した番組制作システムの作用を表す流れ図である。
【符号の説明】
１…番組制作システム、１１…撮像装置、１１１…撮像部、１１２…録音部、１２…記録・変換装置、１２２…エンコーダ、１３…ビデオテープ、１４…記憶装置、１４１…記憶媒体、１５…遠隔操作装置、１５１…操作装置、１５２…表示装置、２１…通信装置、２２…制御装置、２３…編集装置、２４…サーバ、２５…操作装置、２６…送出装置、２７…シミュレーション装置、２８…配信装置。
【図１】
0004672131.tif 000002
【図２】
0004672131.tif 000003
【図３】
0004672131.tif 000004
【図４】
0004672131.tif 000005
【図５】
0004672131.tif 000006
【図６】
0004672131.tif 000007
【図７】
0004672131.tif 000008
【図８】
0004672131.tif 000009
【図９】
0004672131.tif 000010
【図１０】
0004672131.tif 000011
【図１１】
0004672131.tif 000012
【図１２】
0004672131.tif 000013